(57)【要約】【課題】  表示部の表示能力を抑えてコストを抑制しつつ、必要最小限の表示性能を確保することができる健康情報端末を提供する。【解決手段】  健康情報端末装置１は、通信ネットワーク４を介して健康支援情報を受信する通信制御部１１、通信制御部１１で受信した健康支援情報を文字及び／又は画像として表示するためのＬＣＤ２、ＬＣＤ２に表示された文字及び／又は画像をスクロールさせるためのスクロール制御部１４、及びスクロール制御部１４によるスクロールの方向及び速度を設定するためのスクロール特性設定部１２を備える。【選択図】図２
2006202191.tif 000002
【特許請求の範囲】
【請求項１】
通信ネットワークを介して健康支援情報を受信する通信制御手段と、
該通信制御手段で受信した健康支援情報を文字及び／又は画像として表示するための表示手段と、
該表示手段に表示された前記文字及び／又は画像をスクロールさせるためのスクロール制御手段と、
該スクロール制御手段によるスクロールの方向及び速度を設定するためのスクロール特性設定手段と
を備えた健康情報端末装置。
【請求項２】
前記スクロール制御手段は、前記表示手段に表示された文字又は画像の少なくとも一方を縦方向にスクロールさせることのできる請求項1に記載の健康情報端末装置。
【請求項３】
前記スクロール制御手段は、前記表示手段に表示された文字又は画像の少なくとも一方を横方向にスクロールさせることのできる請求項1に記載の健康情報端末装置。
【請求項４】
前記スクロール特性設定手段は、使用者がスクロールの方向及び速度を操作するスクロール操作手段の操作に基づいてスクロールの方向及び速度を決定するスクロール特性決定手段を備えた請求項1から請求項３のいずれか１項に記載の健康情報端末装置。
【請求項５】
前記スクロール操作手段の操作とスクロールの方向及び速度の関係を予め記憶している記憶手段を備えた請求項４の健康情報端末装置。
【請求項６】
前記記憶手段に記憶された前記スクロール操作手段の操作とスクロールの方向及び速度との関係は、前記通信制御手段及び前記通信ネットワークを介した設定操作により変更可能である請求項５に記載の健康情報端末装置。
【請求項７】
前記記憶手段に記憶された前記スクロール操作手段の操作とスクロールの方向及び速度との関係は、基準となる点を有し、該基準となる点を挟んでプラス側とマイナス側の設定が可能であり、この設定はスクロールの方向の正方向、停止、及び逆方向に対応することができることを特徴とする請求項５又は請求項６に記載の健康情報端末装置。
【請求項８】
前記スクロール操作手段は、回動自在なボリュームつまみからなり、該ボリュームつまみの回動方向及び回動量によってスクロールの方向及び速度を可変とした請求項４から請求項７のいずれか１項に記載の健康情報端末装置。
【請求項９】
前記スクロール操作手段は、左右又は上下に操作可能なスティックレバーからなり、該スティックレバーの操作位置によってスクロールの方向及び速度を可変とした請求項４から請求項７のいずれか１項に記載の健康情報端末装置。
【請求項１０】
前記スクロール操作手段は、キースイッチからなり、該キースイッチの操作によってスクロールの方向及び速度を可変とした請求項４から請求項７のいずれか１項に記載の健康情報端末装置。
【請求項１１】
前記キースイッチは、正方向のスクロールを制御する正方向スイッチと、スクロールを停止させるための停止スイッチと、逆方向のスクロールを制御する逆方向スイッチとを備える請求項１０に記載の健康情報端末装置。
【請求項１２】
前記スクロール特性設定手段は、使用者がスクロールの方向を操作するスクロール操作手段と、該スクロール操作手段の操作に基づいてスクロールの方向を決定すると共にスクロールの速度を予め記憶したスクロール特性決定手段を備え、
前記スクロール特性決定手段に記憶されたスクロールの速度は前記通信制御手段及び前記通信ネットワークを介した設定操作により変更可能である、請求項１から請求項３のいずれか１項に記載の健康情報端末装置。
【発明の詳細な説明】
【技術分野】
【０００１】
本発明は、家庭や施設の患者の病状管理や健康管理を医師などの医療スタッフが遠隔的に行うための健康診断ネットワークシステムなどに用いられる健康情報端末に関する。特に、本発明は、医療スタッフから患者に提供される健康支援情報を表示するための健康支援情報表示手段の低コスト化に関する。
【背景技術】
【０００２】
家庭や施設の患者の病状管理や健康管理を医師などの医療スタッフが遠隔的に行うための健康診断ネットワークシステムに関する種々の提案がなされている（例えば特許文献１参照）。
【０００３】
図９は、この種の健康診断ネットワークシステムで、患者ないしは使用者の利用に供される従来の一般的な健康情報端末装置１０１を示す。この健康情報端末装置１０１は、その基本機能である健康支援情報の使用者への提供機能を実現するため、比較的大きな表示器１０２を備え、可能な限り一度に多くの情報を表示できるようにしている。
【０００４】
しかしながら、前記のような従来の健康情報端末の構成では、次のような課題があった。即ち、このような健康情報端末装置１０１の表示器１０２では、充分な表示内容を確保するために表示器１０２を比較的高性能とすると、コストが高くなり、非現実的な製品価格になってしまう。逆に、製品価格を普及しやすい価格にしようとすると、表示器６０２の性能を落とす必要があるが、これでは必要な健康支援情報を適切に提供することが困難になる。
【０００５】
【特許文献１】特開２００２−８３０６６号公報
【発明の開示】
【発明が解決しようとする課題】
【０００６】
本発明は、表示部の表示能力を抑えてコストを抑制しつつ、必要最小限の表示性能を確保することができる健康情報端末装置を提供することを課題とする。
【課題を解決するための手段】
【０００７】
本発明は、通信ネットワークを介して健康支援情報を受信する通信制御手段と、該通信制御手段で受信した健康支援情報を文字及び／又は画像として表示するための表示手段と、該表示手段に表示された前記文字及び／又は画像をスクロールさせるためのスクロール制御手段と、該スクロール制御手段によるスクロールの方向及び速度を設定するためのスクロール特性設定手段とを備えた健康情報端末装置を提供する。スクロール特性設定手段によりスクロールの方向及び速度を設定できるので、表示能力が低い表示手段、即ちスクロールさせることなく一度に表示可能な文字や画像の量が少ない表示手段であっても、使用者は表示手段に表示された文字や画像を煩わしさを感じることなく確認できる。従って、製品価格への原価構成の大きい表示手段の表示能力を抑えて低コスト化を実現しつつ、必要最小限の表示性能を確保できる。
【０００８】
前記スクロール制御手段は、前記表示手段に表示された文字又は画像の少なくとも一方を縦方向にスクロールさせることができる。縦方向の表示能力の小さい表示器を使用した場合に、文字や画像を縦方向にスクロールさせることによって表示性能を確保できる。
【０００９】
代案としては、前記スクロール制御手段は、前記表示手段に表示された文字又は画像の少なくとも一方を横方向にスクロールさせることができる。横方向の表示能力の小さい表示器を使用した場合に、文字や画像を横方向にスクロールさせることによって表示性能を確保できる。
【００１０】
具体的には、前記スクロール特性設定手段は、使用者がスクロールの方向及び速度を操作するスクロール操作手段の操作に基づいてスクロールの方向及び速度を決定するスクロール特性決定手段を備える。スクロール操作手段を操作することにより、使用者は自らの認識能力に合わせてスクロールの方向及び速度を調節できる。
【００１１】
さらに具体的には、前記スクロール操作手段の操作とスクロールの方向及び速度との関係を予め記憶している記憶手段を備える。
【００１２】
前記記憶手段に記憶された前記スクロール操作手段の操作とスクロールの方向及び速度との関係は、前記通信制御手段及び前記通信ネットワークを介した設定操作により変更可能であってもよい。
【００１３】
前記記憶手段に記憶された前記スクロール操作手段の操作とスクロールの方向及び速度との関係は、基準となる点を有し、該基準となる点を挟んでプラス側とマイナス側の設定が可能であり、この設定はスクロールの方向の正方向、停止、及び逆方向に対応することができる。使用者は、簡単な操作で好みのスクロール条件が得られる。
【００１４】
例えば、前記スクロール操作手段は、回動自在なボリュームつまみからなり、該ボリュームつまみの回動方向及び回動量によってスクロールの方向及び速度を可変とする。簡単な構成で安価にスクロール制御機能を実現できる。
【００１５】
また、前記スクロール操作手段は、左右又は上下に操作可能なスティックレバーからなり、該スティックレバーの操作位置によってスクロールの方向及び速度を可変としてもよい。極めて操作性の良好なスクロール制御機能を実現できる。
【００１６】
さらにまた、前記スクロール操作手段は、キースイッチからなり、該キースイッチの操作によってスクロールの方向及び速度を可変としてもよい。簡単な構成で安価にスクロール制御機能を実現できる。
【００１７】
例えば前記キースイッチは、正方向のスクロールを制御する正方向スイッチと、スクロールを停止させるための停止スイッチと、逆方向のスクロールを制御する逆方向スイッチとを備える。
【００１８】
前記スクロール特性設定手段は、使用者がスクロールの方向を操作するスクロール操作手段と、該スクロール操作手段の操作に基づいてスクロールの方向を決定すると共にスクロールの速度を予め記憶したスクロール特性決定手段を備え、前記スクロール特性決定手段に記憶されたスクロールの速度は前記通信制御手段及び前記通信ネットワークを介した設定操作により変更可能であってもよい。例えば、健康診断ネットワークシステムの医師端末から患者ないしは使用者毎にスクロールの速度を設定できる。従って、自分でスクロールの速度の調節ができない使用者などの場合でも、健康情報端末装置を利用できる。
【発明の効果】
【００１９】
本発明の健康情報端末装置によれば、製品価格への原価構成の大きい表示手段の表示能力を抑えて低コスト化を実現しつつ、必要最小限の表示性能を確保できる。
【発明を実施するための最良の形態】
【００２０】
次に、添付図面を参照した本発明の実施の形態を説明する。
【００２１】
（第１の実施の形態）
図１Ａは、本発明の第１の実施の形態に係る健康情報端末装置１の外観を示す。この健康情報端末装置１の正面側には、表示部である液晶表示装置（ＬＣＤ）２が配置されている。本実施の形態のＬＣＤ２は、横方向には十分な寸法を有するが、縦方向の寸法は横方向の寸法と比して大幅に小さい。そのため、ＬＣＤ２は表示可能な行数は数行程度（３行）であり、縦方向の表示能力が低い。ＬＣＤ２の右側には図１Ｂに示すスクロール操作部３が設けられている。
【００２２】
図２及び図３に示すように、健康情報端末装置１は、通信制御部１１で通信ネットワーク４を介してサーバー５および医師端末６と接続されている。健康情報端末装置１の使用者である患者の主治医などの医療スタッフによって、医師端末６から発信された問診、メッセージ、処置予定表などの健康支援情報は、いったんサーバー５に蓄積される。サーバー５に蓄積された健康支援情報は、使用者が健康情報端末装置１を使用するときにサーバー５から健康情報端末装置１にダウンロードされる。
【００２３】
図２に示すブロック図を参照すると、健康情報端末装置１は、前記ＬＣＤ２に加え、通信制御部１１、スクロール特性設定部１２、表示制御部１３、及びスクロール制御部１４を備える。
【００２４】
通信制御部１１は、通信ネットワーク４を介したサーバー５からの健康支援情報のダウンロードを含むサーバー５及び医師端末６との通信を実行する機能を有する。
【００２５】
表示制御部１３は、通信制御部１３が受信した健康支援情報データをＬＣＤ２に表示させる機能を有する。
【００２６】
スクロール制御部１４はＬＣＤ２の画面上で表示される文字や画像をスクロールさせる機能を有する。後に詳述するように、スクロール制御部１４は、スクロール特性設定部１２で設定された方向及び速度でＬＣＤ２の画面上で文字や画像をスクロールさせる。
【００２７】
スクロール特性設定部１２は、前述のスクロール操作部３とスクロール特性決定部１５を備える。患者ないしは使用者は、スクロール操作部３を操作することでＬＣＤ２の画面上に表示された文字や画像をスクロールさせることができる。スクロール操作部３の操作により、スクロールの方向と速度の設定値（スクロール速度設定値）を入力することができる。スクロール特性決定部１５は、スクロール操作部３で入力されたスクロール速度設定値に基づいてスクロールの方向と速度を決定する機能を有する。
【００２８】
図１Ｂに最も明瞭に示すように、本実施の形態におけるスクロール操作部３は、スティックレバー１７を備える。このスティックレバー１７は、矢印Ａ１，Ａ２で示すように上下方向に傾動させることができる。スクロール操作部３は、スティックレバー１７の操作位置（傾きの方向及び角度）を検出するためのセンサ１８（図１Ｂにのみ示す。）を備え、検出された操作位置がスクロール速度設定値としてスクロール特性決定部１５に出力される。本実施の形態では、スティックレバー１７の矢印Ａ１方向（上向き）の傾きは、正のスクロール速度設定値に対応し、傾きが大きいほどスクロール速度設定値の絶対値は大きくなる。逆に、スティックレバー１７の矢印Ａ２方向（下向き）の傾きは、負の正のスクロール速度設定値に対応し、傾きが大きいほどスクロール速度設定値の絶対値は大きくなる。なお、スティックレバー１７は左右方向に傾動させるものでもよい。
【００２９】
本実施の形態において、スクロール特性決定部１５は、スクロール速度設定値とスクロールの方向及び速度の関係を予め記憶した記憶部１６を有しており、この記憶している関係を使用することより、スクロール速度設定値に基づいてスクロールの方向及び速度を決定する。本実施の形態におけるスクロール特性決定部１５は、図４に示すスクロール操作部３（ステックレバー１７）のスクロール速度設定値に対するスクロールの方向と速度を示す性能曲線２０を記憶部１６に記憶している。なお、記憶部１６はスクロール特性決定部１５以外のモジュールに設けてもよい。
【００３０】
この性能曲線２０によりスクロール操作部３から入力されるスクロール速度設定値に対してスクロール速度が一義的に決まる。例えばスクロール速度Ｓ１に対するスクロール速度はＶ１である。正のスクロール速度設定値は正方向のスクロール（図１Ａ及び図１Ｂの矢印Ｂ１）に対応し、負のスクロール速度設定値は逆方向のスクロール（図１Ａ及び図１Ｂの矢印Ｂ２）に対応する。また、スクロール速度Ｖはスクロール速度設定値Ｓに比例する。ただし、スクロール速度のゼロ点を挟んでスクロール速度がゼロに維持される領域Ｔが設定されている。仮に、性能曲線２０’のように、スクロール速度のゼロ点、すなわちスクロール停止位置が一点しか存在しないとすると、スクロールを停止させるには正確にスティックレバー１７を移動させる必要がある。しかし、領域Ｔを設けることで、スクロール速度設定値をゼロ点付近に設定すれば、スクロール速度はゼロとなるので、スクロール停止設定の操作を容易に行うことができる。
【００３１】
本実施の形態におけるスクロール操作部３のスティックレバー１７の操作とスクロールの方向及び速度の関係をまとめると以下通りである。スティックレバー１７の矢印Ａ１方向（上向き）の傾きは正方向のスクロール（図１Ａ及び図１Ｂの矢印Ｂ１）に対応し、傾きが大きい程スクロール速度も増加する。一方、矢印Ａ２方向（下向き）の傾きは逆方向のスクロール（図１Ａ及び図１Ｂの矢印Ｂ２）に対応し、傾きが大きい程スクロール速度も増加する。前記領域Ｔに対応する中立位置付近では、スティックレバー１７が矢印Ａ１と矢印Ａ２のいずれの方向に傾けてもスクロール速度はゼロに維持される。
【００３２】
次に、本実施の形態の健康情報端末装置１の動作を説明する。通信ネットワーク４を介してダウンロードされる問診、メッセージ、処置予定表などの健康支援情報は、通信制御部１１で受信され、その表示内容が表示制御部１３に格納され、スクロール制御部１４を介してＬＣＤ２の画面に文字や画像として表示される。使用者がスクロール操作部３のスティックレバー１７を操作すると、それに応じてＬＣＤ２の画面に表示された文字や画像がスクロールし、その方向と速度はスティックレバー１７を傾ける向きと角度により決まる。例えば、使用者がスティックレバー１７を矢印Ａ１の方向にある角度だけ傾けると、この傾きの向きと角度をセンサ１８が検出してスクロール速度設定値（符号は正）としてスクロール特性決定部１５に入力する。このスクロール速度設定値が入力されたスクロール特性決定部１５は、図４の性能曲線２０から対応するスクロール速度を決定してスクロール制御部１４に出力する。スクロール制御部１４はスクロール特性決定部１５から入力されたスクロール速度でＬＣＤ２の画面上の文字や画像をスクロールする。このときのスクロールの方向は矢印Ｂ１で示す正方向である。
【００３３】
図５は、本実施の形態の健康情報端末装置１が備える安価な３行表示用のＬＣＤ２で、６行の文章２１をスクロールによって表示する場合の動作を示す。この図５において矢印Ｂ１，Ｂ２で示すように、スティックレバー１７の操作によって６行の文章２１のＬＣＤ２の画面に対する上下方向の相対位置が変化し、それによって３行表示用のＬＣＤ２上に６行の文章２１の中の３行分のみが表示される。尚、６行の文章２１が例えば問診の選択肢である場合、ＬＣＤ２の画面に表示される真ん中の行２１ａを反転表示させることにより、選択行であることを示すことができる。
【００３４】
本実施の形態の健康情報端末装置１は、スクロール特性設定部１２によりスクロールの方向及び速度を設定できるので、３行しか文書を表示できない表示能力が低いＬＣＤ２であるにも関わらず、使用者はＬＣＤ２に表示された医療支援情報を煩わしさを感じることなく確認できる。特に、スティックレバー１７の操作位置によってクロールの方向と速度を調節できるので、スクロール制御の操作性が非常に良好である。従って、本実施の形態の健康情報端末装置１は、製品価格への原価構成の大きい表示部の表示能力を抑えて低コスト化を実現しつつ、必要最小限の表示性能を確保できる。
【００３５】
（第２の実施の形態）
図６Ａ及び図６Ｂは、本発明の第２の実施の形態に係る健康情報端末装置１を示す。この健康情報端末装置１のスクロール操作部３は、３個のキースイッチ、すなわち正方向のスクロールを制御する正方向スイッチ２４ａ、スクロールを停止させるための停止スイッチ２４ｂ、及び逆方向のスクロールを制御する逆方向スイッチ２４ｃを備える。また、スクロール操作部３は、図６Ｂにのみ示すように、各スイッチの操作を検出するセンサ２５ａ，２５ｂ，２５ｃを備える。正方向スイッチ２４ａと逆方向スイッチ２４ｂのセンサ２５ａ，２５ｂは圧力センサであり、使用者がスイッチを押す強さを検出する。
【００３６】
正方向スイッチ２４ａが押圧されると、圧力センサ２５ｃが押圧の強さを検出しそれに応じたスクロール速度設定値がスクロール特性決定部１５に出力される。詳細には、正方向スイッチ２４が押圧された場合、スクロール速度設定値の符号は正であり、その絶対値は使用者が正方向スイッチ２４ａを押圧する力が強い程大きい。一方、逆方向スイッチ２４ｃが押圧された場合、スクロール速度設定値の符号は負であり、その絶対値は正方向スイッチ２４ｃを押圧する力が強い程大きい。停止スイッチ２４ｂの押圧がセンサ２５ｂにより検出された場合、ゼロのスクロール速度設定値がスクロール特性決定部１５に出力される
【００３７】
キースイッチ２４ａ〜２４ｃを採用することで、簡単な構成で安価にスクロール制御機能を実現できる。特に、キースイッチの操作によってクロールの方向と速度を調節できるので、スクロール制御の操作性が非常に良好である。従って、本実施の形態の健康情報端末装置１は、製品価格への原価構成の大きい表示部の表示能力を抑えて低コスト化を実現しつつ、必要最小限の表示性能を確保できる。
【００３８】
第２の実施の形態のその他の構成及び作用は第１の実施の形態と同様であるので、同一の要素には同一の符号を付して説明を省略する。
【００３９】
（第３の実施の形態）
図７Ａ及び図７Ｂは、本発明の第３の実施の形態に係る健康情報端末装置１を示す。この健康情報端末１のＬＣＤ２６は、縦方向には充分な寸法を有して表示可能な行数は６行であるが、横方向の寸法が縦方向の寸法と比して大幅に小さい。換言すれば、ＬＣＤ２６は、横方向の表示能力が低い。そのため、スクロール制御部１４（図２参照）は、図７Ａにおいて矢印Ｄ１で示す右方向（正方向）と矢印Ｄ２で示す左方向にＬＣＤ２６に表示された文字や画像をスクロールさせる。また、クロール操作部３は、回動自在なボリュームつまみ２７と、このボリュームつまみ２７の回動方向及び回動量を検出するセンサ２８を備える。ボリュームつまみ２７が中立位置から回動されると、センサ２８によって検出されるボリュームつまみ２７の回動方向及び回動量がスクロール速度設定値としてスクロール特性決定部１５に入力される。詳細には、矢印Ｃ１で示すようにボリュームつまみ２７を時計方向に回動させた場合、スクロール速度設定値の符号は正（矢印Ｄ１の右方向のスクロール）であり、その絶対値は回動量の増加に伴って増加する。逆に、矢印Ｃ２で示すようにボリュームつまみ２７を反時計方向に回動させた場合、スクロール速度設定値は負（矢印Ｄ２の左方向のスクロール）であり、その絶対値は回動量の増加に伴って増加する。ボリュームつまみ２７を採用した場合も、簡単な構成で安価にスクロール制御機能を実現できる。
【００４０】
図８は、表示行数が６行で横方向の表示能力が低いＬＣＤ２６で、６行の文章３０をスクロールによって表示する場合の動作を示す。この図８において矢印Ｄ１，Ｄ２で示すように、ボリュームつまみ２７の操作によって文章３０のＬＣＤ２６の画面に対する左右方向の相対位置が変化し、それによって文章３０がスクロールする。なお、この例では始めの２行３０ａだけをスクロール表示し、残りの４行３０ｂは固定のまま表示される。このようなスクロール表示領域３１と固定表示領域３２の設定は、適切なソフトウェアによって実現可能である。このスクロール表示領域３１と固定表示領域３２を有する表示は、
例えば、問診機能の場合に応用することが考えられる。最初の２行のスクロール領域３１を問診の質問文に割り当て、後の４行の固定領域３２を回答の選択肢の表示に割り当てることが考えられる。
【００４１】
第３の実施の形態のその他の構成及び作用は第１の実施の形態と同様であるので、同一の要素には同一の符号を付して説明を省略する。特に、ボリュームつみま２７の操作位置によってクロールの方向と速度を調節できるので、スクロール制御の操作性が非常に良好である。従って、本実施の形態の健康情報端末装置１は、製品価格への原価構成の大きい表示部の表示能力を抑えて低コスト化を実現しつつ、必要最小限の表示性能を確保できる。
【００４２】
第１の実施の形態において、スクロール特性決定部１５に記憶された性能曲線２０（図４参照）は、医師等の医療スタッフが医師端末１から通信ネットワークワーク４を介して変更できるようにしてもよい。この場合、医師端末１は通信ネットワーク４及び健康情報端末装置１の通信制御部１１を介してスクロール特性決定部１５にアクセスして性能曲線２０を変更する。他の実施の形態についても同様に、医師端末１から性能曲線２０を変更できるようにしてもよい。
【００４３】
また、医師端末１から通信ネットワーク４経由で固定のスクロール速度を設定し、スクロール決定部１５に予め記憶させてもよい。この場合、スクロール特性決定部１５は、スクロールの方向はスティックレバー１７、キースイッチ２４ａ〜２４ｃ、及びボリュームつまみ２７からの入力信号により決定するが、スクロール速度はスクロール決定部１５に記憶された固定の値が使用される。
【図面の簡単な説明】
【００４４】
【図１Ａ】本発明の第１の実施の形態に係る健康情報端末装置の模式的な斜視図。
【図１Ｂ】スティックレバーの模式的な斜視図。
【図２】本発明の第１の実施の形態に係る健康情報端末装置のブロック図。
【図３】本発明の第１の実施の形態に係る健康情報端末装置を含む健康情報ネットワークの概念図。
【図４】スクロール速度設定値とスクロール速度の関係を示す線図。
【図５】第１の実施の形態に係る健康情報端末装置の画面表示の一例を示す図。
【図６Ａ】本発明の第２の実施の形態に係る健康情報端末装置の模式的な斜視図。
【図６Ｂ】キースイッチの模式的な正面図。
【図７Ａ】本発明の第３の実施の形態に係る健康情報端末装置の模式的な斜視図。
【図７Ｂ】ボリュームつまみの模式的な正面図。
【図８】本発明の第３の実施の形態に係る健康情報端末装置の模式図。
【図９】従来の健康情報端末装置の一例を示す模式的な斜視図。
【符号の説明】
【００４５】
１  健康情報端末装置
２，２６  液晶表示装置
３  スクロール操作部
４  通信ネットワーク
５  サーバー
６  医師端末
１１  通信制御部
１２  スクロール特性設定部
１３  表示制御部
１４  スクロール制御部
１５  スクロール特性決定部
１６  記憶部
１７  スティックレバー
１８，２５ａ，２５ｂ，２５ｃ，２７  センサ
２０  性能曲線
２４ａ  正方向スイッチ
２４ｂ  停止スイッチ
２４ｃ  逆方向スイッチ
２７  ボリュームつまみ
【図１Ａ】
2006202191.tif 000003
【図１Ｂ】
2006202191.tif 000004
【図２】
2006202191.tif 000005
【図３】
2006202191.tif 000006
【図４】
2006202191.tif 000007
【図５】
2006202191.tif 000008
【図６Ａ】
2006202191.tif 000009
【図６Ｂ】
2006202191.tif 000010
【図７Ａ】
2006202191.tif 000011
【図７Ｂ】
2006202191.tif 000012
【図８】
2006202191.tif 000013
【図９】
2006202191.tif 000014